(57)【要約】【課題】従来、電子機器の初期化を行う場合、一度電子機器を起動させてから初期化の作業を行う必要があり、手間がかかるほか、起動そのものに時間がかかる場合には無駄な時間も必要となってしまう。また特許文献１の技術ではユーザが設定変更できないという不便を強いることになり、ユーザビリティの観点から好ましくない。【解決手段】以上の課題解決のため、本発明は、例えば電子機器に通電していなくても接点位置の変更が可能な機械式の履歴スイッチなどを設け、例えば利用者αが利用中には接点位置ａにスイッチを入れておく。そして、利用者が変更する際には、電子機器を起動させることなくルームキーパーなどが当該スイッチの接点位置をｂに切り替えておく。すると電子機器は、次の利用者βによる利用開始時にその接点位置の変更を検出することで利用者が変わったことを検知し、自身の設定情報などを初期化する。【選択図】図２
2010198063.tif 000002
【特許請求の範囲】
【請求項１】
利用者ごとに設定される情報を保持する保持部と、
利用状態であるか否かを問わず、利用者の操作によって不揮発性の情報である初期化フラグに値を設定するためのフラグスイッチと、
利用終了する際の初期化フラグの値である終了フラグ値を記憶する記憶部と、
利用開始の際の初期化フラグの値である開始フラグ値を取得する取得部と、
記憶されている終了フラグ値と、取得した開始フラグ値とを比較する比較部と、
比較結果が異なるとの比較結果である場合に前記情報を初期化する初期化部と、
を有する電子機器。
【請求項２】
前記フラグスイッチは、利用者の操作によって接点位置を変更可能な機械式の履歴スイッチであって、
前記初期化フラグの値は履歴スイッチの接点位置であることを特徴とする請求項１に記載の電子機器。
【請求項３】
利用状態であるか否かを問わず、利用者の操作によって不揮発性の情報である初期化フラグに値を設定するフラグスイッチと、記憶装置とを有する電子機器の動作方法であって、
利用者ごとに設定される情報を記憶装置に保持するため記録する記録ステップと、
利用終了する際の初期化フラグの値である終了フラグ値を記憶装置に記憶するため書き込む書込ステップと、
利用開始の際の初期化フラグの値である開始フラグ値を取得する取得ステップと、
記憶されている終了フラグ値と、取得した開始フラグ値とを比較する比較ステップと、
比較結果が異なるとの比較結果である場合に前記情報を初期化する初期化ステップと、
を計算機に実行させる電子機器の動作方法。
【発明の詳細な説明】
【技術分野】
【０００１】
本発明は、例えばホテルのテレビ受像機における一のユーザの利用環境が他のユーザに不必要に引き継がれないようにすることなどを目的として、当該利用環境に関する設定情報などを効率的に初期化する技術に関する。
【背景技術】
【０００２】
例えばホテルの宿泊室に備え付けられたテレビや、レンタカーに備え付けられたＣＤプレイヤーなどのように、不特定多数のユーザが利用することを前提とした電子機器が存在する。ところで通常の電子機器は、例えばテレビであれば画質調整の設定や視聴予約の設定などをすることができる。しかし上記のように不特定のユーザが利用する場合、ユーザαのした設定がユーザβにとっても最適なものであるとは限らない。そのため不特定多数のユーザが利用することを前提とした電子機器において先のユーザが設定した情報などは、基本的に次のユーザの利用時には引き継がれないよう適宜初期化されることが望ましい。
【０００３】
そこで従来は、例えばホテルであればルームキーパーなど当該電子機器を管理する側の担当者が、先のユーザのチェックアウト後などに、電子機器をいったん起動し背面などに設けられた初期化ボタンなどを押してユーザ設定などを初期化することで対応している。また特許文献１には、このような電子機器のリモコンとコントロールパネルとを同時押しすることで設定変更機能をロックする技術が開示されている。この技術を利用すればユーザが勝手に設定変更をできないので、ルームキーパーなどの上記初期化の手間を省くことができる。
【先行技術文献】
【特許文献】
【０００４】
【特許文献１】特開平０６−２６１２６６号公報
【発明の概要】
【発明が解決しようとする課題】
【０００５】
しかし、上記従来の技術には以下のような課題がある。すなわち、電子機器を管理する側の人間が逐一初期化を行う場合、一度電子機器を起動させてから初期化の作業を行う必要があり、手間がかかるほか、起動そのものに時間がかかる場合には無駄な時間も必要となってしまう。また、特許文献１の技術ではユーザが設定変更できないという不便を強いることになり、ユーザビリティの観点から好ましくない。
【課題を解決するための手段】
【０００６】
以上の課題を解決するために、本発明は、例えば電子機器に通電していなくても接点位置の変更が可能な機械式の履歴スイッチなどを設け、例えば利用者αが利用中には接点位置ａにスイッチを入れておく。そして、利用者が変更する際には、電子機器を起動させることなくルームキーパーなどが当該スイッチの接点位置をｂに切り替えておく。すると電子機器は、次の利用者βによる利用開始時にその接点位置の変更を検出することで利用者が変わったことを検知し、自身の設定情報などを初期化する、という具合である。なお前記スイッチは機械式スイッチだけでなく、例えばスタンバイ時の微小電流でも駆動する不揮発性メモリなどを利用しフラグ情報ａやｂを記憶するフラグスイッチなどであっても良い。
【０００７】
具体的には、利用者ごとに設定される情報を保持する保持部と、利用状態であるか否かを問わず、利用者の操作によって不揮発性の情報である初期化フラグに値を設定するためのフラグスイッチと、利用終了する際の初期化フラグの値である終了フラグ値を記憶する記憶部と、利用開始の際の初期化フラグの値である開始フラグ値を取得する取得部と、記憶されている終了フラグ値と、取得した開始フラグ値とを比較する比較部と、比較結果が異なるとの比較結果である場合に前記情報を初期化する初期化部と、を有する電子機器を提供する。
【発明の効果】
【０００８】
以上のような構成をとる本発明によって、電子機器の電源がスタンバイなどの状態のままでも、フラグスイッチにて電子機器の利用者が変更したことなどを区別して示すことができる。また、フラグスイッチとして機械式の履歴スイッチを利用すれば、電子機器が完全に通電していないような状態であっても電子機器の利用者が変更したことなどを区別して示すことができる。したがって、例えばルームキーパーなどは電子機器の電源を入れていちいち起動する必要が無いので、手間と時間を節約することができる。
【図面の簡単な説明】
【０００９】
【図１】実施例１の電子機器における情報の初期化処理について説明するための概念図
【図２】実施例１の電子機器における機能ブロックの一例を表す図
【図３】実施例１の電子機器におけるハードウェア構成の一例を表す図
【図４】実施例１の電子機器における処理の流れの一例を表すフローチャート
【発明を実施するための形態】
【００１０】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１，２，３について説明する。
【００１１】
≪実施例１≫
＜概要＞
図１は、本実施例の電子機器における、保持されている設定情報などの初期化処理について説明するための概念図である。この図１（ａ）にあるように、例えばホテルに滞在している宿泊客Ａが、部屋に備え付けられているテレビ（本発明の機能を備える電子機器）のタイマー設定を変更し、起床用に朝８時になると自動的にスイッチが入るようにした。その後、宿泊客Ａはホテルをチェックアウトし、ルームキーパーがその部屋の掃除等を行う。そしてその際、ルームキーパーは部屋のテレビの設定初期化のために、テレビの電源を投入せずに、図１（ｂ）に示すようにテレビ背面などに設けられている機械式スイッチの接点をｘからｙに切り替えておく。すると、次の宿泊客Ｂがこの部屋のテレビの電源を投入した際に、図１（ｃ）に示すように、当該テレビはスイッチの接点位置が、前回の電源オフ時から切り替わっていることを検知し、内蔵メモリに保持されているその設定情報（タイマー設定）を初期化する処理を行う。このようにして、次の朝８時に、宿泊客Ｂが予期せぬテレビの自動起動によって起こされる、などの事態が生じることを防ぐことができる。
【００１２】
＜機能的構成＞
図２は、本実施例の電子機器における機能ブロックの一例を表す図である。なお「電子機器」とは、何らかの情報を保持する機能を有する電子機器であれば、どのようなものであっても構わない。ただし、本発明の電子機器は、例えばホテルなどに備え付けられるテレビ装置やレンタカーなどに備え付けられる音楽コンポ機能付カーナビなど、不特定多数のユーザが利用し先のユーザによってなされた設定などの情報が他のユーザに引き継がれて利用されると不都合を生じるような場合に、その効果を最大限発揮することを特徴とする。したがって、以下の実施例ではホテルに備えられたテレビ受像機を電子機器の例に挙げて説明する。
【００１３】
しかし、もちろん、上記不特定多数のユーザが利用するとの前提が無い電子機器であっても、例えば中古販売や個人間オークションなどで商品を引き渡す可能性がある場合、あるいは同一ユーザであっても以前記憶させた情報をリセットさせたい場合などにも、本実施例のように記憶している情報の初期化を簡単に行うことができる電子機器は有用である。
【００１４】
なお、以下に記載する本電子機器の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェイス、通信用インターフェイス、それらハードウェアを制御するためのドライバプログラムやその他アプリケーションプログラム、ユーザインターフェイス用アプリケーションなどが挙げられる。
【００１５】
そして主メモリ上に展開したプログラムに従ったＣＰＵの演算処理によって、入力デバイスやその他インターフェイスなどから入力され、メモリやハードディスク上に保持されているデータなどが加工、蓄積されたり、上記各ハードウェアやソフトウェアを制御するための命令が生成されたりする。また、この発明は電子機器として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１６】
そして、この図２にあるように、本実施例の「電子機器」（０２００）は、「保持部」（０２０１）と、「フラグスイッチ」（０２０２）と、「記憶部」（０２０３）と、「取得部」（０２０４）と、「比較部」（０２０５）と、「初期化部」（０２０６）と、を有する。
【００１７】
「保持部」（０２０１）は、利用者ごとに設定される情報を保持する機能を有し、例えばフラッシュメモリやＨＤＤ（ハードディスクドライブ）などで実現することができる。なお、「利用者ごとに設定される情報」とは特別限定はせず、例えばテレビやラジオ、音楽プレイヤーなどであれば画質/音質調整情報、視聴や録画のタイマー設定情報、チャンネル番号のプリセット設定情報などが挙げられる。そして前述のように、例えばこのような各種設定情報によってなされる先のユーザの設定が、次以降のユーザにとって好適な設定になっているとは限らない。そこで、本実施例の電子機器では、このように次の利用者の利用時にはリセットされていた方が良いような利用者ごとに保持部に保持された各種設定情報を簡単に初期化可能に構成されていることを特徴とする。
【００１８】
またこの保持部で保持される情報は、その他にも、例えばレンタカーのカーナビであれば、利用者Ａが持参した音楽ＣＤの再生操作によって自動的にカーナビ内のＨＤＤに取り込まれた音楽データなどであっても良い。そしてこのような音楽データは次の利用者Ｂがレンタカーを利用した際にも引き続き再生可能となってしまうため、著作権上問題が生じてしまうことになる。そこで本実施例の電子機器によって、このようなデータも簡単に初期化可能であると良い。なお、この保持部は、保持する情報を利用者識別情報などと関連付けて管理する構成である必要はない。
【００１９】
「フラグスイッチ」（０２０２）は、利用状態であるか否かを問わず、利用者の操作によって不揮発性の情報である初期化フラグに値を設定する機能を有し、例えば電子機器のスタンバイ時などでも作動するフラッシュメモリとボタンで構成されたフラグスイッチや、利用者の操作によって接点位置を変更可能な機械式の履歴スイッチなどが挙げられる。そしてこのフラグスイッチは、利用状態であるか否か、すなわち例えば電子機器の電源がスタンバイ状態から復帰し起動しているか否かなどを問わず、不揮発性の情報を設定可能なスイッチであることを特徴とする。したがって利用者は電子機器を起動させること無くフラグの設定変更などすることができる。また、フラグスイッチとして前述の機械式の履歴スイッチを利用する場合、電子機器に完全に通電していないような状態（例えば主電源や室内ブレーカーがオフ状態、あるいは停電状態など。また自動車であればキーが刺さっていない状態やキーポジションがオフやＡＣＣの状態など）であってもその接点位置を変更し、その旨を示すことができる。なお、このフラグスイッチを操作する「利用者」と、保持部にて保持される情報のもととなる操作を行った「利用者」とは、別々の利用者であっても構わない。
【００２０】
「記憶部」（０２０３）は、利用終了する際の初期化フラグの値である終了フラグ値を記憶する機能を有し、例えばフラッシュメモリやＨＤＤ（ハードディスクドライブ）、記憶プログラムなどで実現することができる。具体的に、例えばフラグスイッチがフラッシュメモリと赤と黒の２種類のボタンで構成されていれば、赤ボタンが押下されていればフラッシュメモリの初期化フラグ値を０とし、黒ボタンが押下されていれば初期化フラグ値を１として記憶する、と言う具合である。また、機械式の履歴スイッチであれば、電子機器の利用終了時の履歴スイッチの接点位置がｘであれば初期化フラグの値を０、ｙであれば１として記憶する、と言う具合である。このように記憶部は利用終了する際の初期化フラグ値を記憶することで、例えば電源オフ状態（利用終了後から利用開始までの間の状態）でフラグスイッチが切り替えられていた場合に、次回起動時にその旨を検知することができる。
【００２１】
「取得部」（０２０４）は、利用開始の際の初期化フラグの値である開始フラグ値を取得する機能を有し、例えばＣＰＵや主メモリ、取得プログラムなどによって実現することができる。具体的に、例えば電源が投入されるなどして電子機器の利用が開始された場合に、フラグスイッチであれば現在例えば赤と黒どちらのボタンが押されているか、機械式の履歴スイッチであれば現在ｘとｙどちらの接点位置にスイッチが切られているか、を示す情報を取得する、と言う具合である。
【００２２】
「比較部」（０２０５）は、記憶されている終了フラグ値と、取得した開始フラグ値とを比較する機能を有し、例えばＣＰＵや主メモリ、比較プログラムなどで実現することができる。具体的に、電源オフなどで利用が終了してから電源オンなどで次の利用が開始されるまでにフラグスイッチが切り替えられた場合に、上記の構成によって利用終了時に記憶された終了フラグ値と次の利用開始時に取得された開始フラグ値とが異なることになる。したがって、この比較部にて両者が異なる場合、例えばルームキーパーなどが前記利用終了から利用開始までの間にスイッチを切り替えたことを検知することができる、と言う具合である。
【００２３】
「初期化部」（０２０６）は、比較結果が異なるとの比較結果である場合に前記情報を初期化する機能を有し、例えばＣＰＵや主メモリ、初期化プログラムなどで実現することができる。なお、情報の初期化処理は、例えば設定情報などであればデフォルトの情報に書き換える処理や、音楽データなどであれば情報を消去する処理など、初期化する対象情報に応じて様々な処理であってよい。
【００２４】
そして、このようにして、電子機器の利用が可能な状態（例えば起動状態）ではないスタンバイ状態や完全に電子機器に通電がなされていない状態でも、逐一電子機器を起動させること無く、電子機器に設けられたフラグスイッチ（機械式の履歴スイッチなど）を切り替えることで簡単に情報を初期化することができる。
【００２５】
＜ハードウェア構成＞
図３は、上記機能的な各構成要件をハードウェアとして実現した際の、電子機器における構成の一例を表す概略図である。この図を利用して初期化処理におけるそれぞれのハードウェア構成部の働きについて説明する。
【００２６】
この図にあるように、電子機器は、取得部、比較部、および初期化部であり、またその他の各種演算処理を実行する「ＣＰＵ」（０３０１）と、「主メモリ」（０３０２）と、を備えている。また保持部及び記憶部である「フラッシュメモリ」（０３０３）や、フラグスイッチである「機械式スイッチ」（０３０４）、またユーザの操作入力を受付ける「入力デバイス」（０３０５）なども備えている。そしてそれらが「システムバス」などのデータ通信経路によって相互に接続され、情報の送受信や処理を行う。
【００２７】
また、「主メモリ」にはプログラムが読み出され、「ＣＰＵ」は読み出された当該プログラムを参照し、プログラムで示される手順に従い各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。なお、以下は電子機器の一例としてホテルに設置されたテレビ受像機を例に挙げて説明するが、もちろんそれに限定されない。
【００２８】
ここで、「入力デバイス」を介した宿泊客Ａの操作によって、テレビ受像機が朝の8時に自動的に起動し１チャンネルの番組視聴ができるようタイマー設定情報が入力される。すると利用者の操作入力に基づくタイマー設定情報「８時００分、１チャンネル」が「フラッシュメモリ」のアドレスＡに記憶される。そしてテレビ受像機は、「フラッシュメモリ」に記憶されたタイマー設定情報に従い、毎朝８時に１チャンネルに受信周波数を合わせて自動起動する。
【００２９】
また、このテレビ受像機は、電源がオフされスタンバイ状態になる際（利用終了の際）に、記憶プログラムにしたがった「ＣＰＵ」の処理によって、「機械式スイッチ」の現在の接点位置ｘを取得し、「フラッシュメモリ」のアドレスＢに終了フラグ値として記憶させる。そして電源がオンされた際（利用開始の際）に、取得プログラムにしたがった「ＣＰＵ」の処理によって、同様に「機械式スイッチ」の接点位置を取得し、「主メモリ」のアドレス１に開始フラグ値として格納する。なお、ここでは宿泊客は機械式スイッチをいじらないことを前提に（テレビ受像機の背面に機械式スイッチを配置したり、このスイッチに触れないでくださいなどの注意書きをしたりしておく）、宿泊客Ａが利用している間は接点位置ｘが取得される。
【００３０】
そして比較プログラムを解釈し、その解釈結果にしたがった「ＣＰＵ」の処理によって、「フラッシュメモリ」のアドレスＢに記憶されている終了フラグ値ｘを読み出し、「主メモリ」のアドレス２に格納する。そして、アドレス１の開始フラグ値と、アドレス２の終了フラグ値とを比較し、ここでは両者ともにｘであるため同値である旨の比較結果を出力する。そして、開始フラグ値と終了フラグ値が同値であるとの比較結果である場合、「ＣＰＵ」は初期化プログラムの解釈結果にしたがい、フラッシュメモリに記憶されたタイマー設定情報などの初期化処理は行わない。そして、電子機器の電源オン／オフがなされるたびに、上記の終了フラグ値の記憶処理、開始フラグ値の取得処理、そして両者の比較処理が繰り返される。
【００３１】
その後、宿泊客Ａが当該ホテルをチェックアウトし、ホテルのルームキーパーがこの部屋の清掃等を行う際、電源オフ状態のテレビ受像機（電源オフ状態でなければ電源をオフにして）の「機械式スイッチ」の接点位置をｘからｙに切り替える。すると、次の宿泊客Ｂがこの部屋に入り、テレビ受像機の電源をオンにした際に、取得プログラムにしたがった「ＣＰＵ」の処理によって取得され、「主メモリ」のアドレス１に格納される開始フラグ値はｙとなる。
【００３２】
したがって、前述の比較プログラムにしたがった「ＣＰＵ」の処理において、「主メモリ」のアドレス１の開始フラグ値（ｙ）とアドレス２の終了フラグ値（ｘ）とが異なる値をとる旨の比較結果が出力されることになる。そして、開始フラグ値と終了フラグ値が異なる値であるとの比較結果である場合、「ＣＰＵ」は初期化プログラムの解釈結果にしたがい、フラッシュメモリに記憶されたタイマー設定情報などをデフォルト値に書き換えるなどして初期化する、と言う具合である。
【００３３】
このように、本実施例の電子機器を利用することで、いちいち電子機器の電源を投入するなどして利用可能状態にしなくとも、スタンバイ状態などのままフラグスイッチを切り替えて簡単に情報を初期化させることができる。
【００３４】
＜処理の流れ＞
図４は、本実施例の電子機器における処理の流れを表すフローチャートである。この図にあるように、例えばテレビ受像機に対する操作に応じたタイマー設定情報など、利用者ごとに設定される情報を記憶装置に保持するため記録する（ステップＳ０４０１）。その後、例えば機械式の履歴スイッチなど、利用者（なお、この利用者はステップＳ０４０１における利用者と別でも構わない）の操作によって不揮発性の情報である初期化フラグに値を設定するためのフラグスイッチを参照して、利用終了する際（ステップＳ０４０２）の初期化フラグの値である終了フラグ値を記憶装置に記憶するため書き込む（ステップＳ０４０３）。また、例えば電源がオンされるなどして、前記利用終了から利用開始に移行した際（ステップＳ０４０４）のフラグスイッチの示す初期化フラグの値である開始フラグ値を取得し（ステップＳ０４０５）、前記ステップＳ０４０３にて記憶された終了フラグ値と、前記ステップＳ０４０５で取得した開始フラグ値とを比較する（ステップＳ０４０６）。そして、その比較結果が異なるとの比較結果である場合（ステップＳ０４０７）、前記ステップＳ０４０１で記録され記憶装置にて保持されている情報を初期化する（ステップＳ０４０８）。
【００３５】
＜効果の簡単な説明＞
以上のように本実施例の電子機器によって、電子機器の電源がスタンバイなどの状態のままでも、フラグスイッチにて電子機器の利用者が変更したことなどを区別して示すことができる。また、フラグスイッチとして機械式の履歴スイッチを利用すれば、電子機器が完全に通電していないような状態であっても電子機器の利用者が変更したことなどを区別して示すことができる。したがって、例えばルームキーパーなどは電子機器の電源を入れていちいち起動する必要が無いので、手間と時間を節約することができる。
【符号の説明】
【００３６】
０２００  電子機器
０２０１  保持部
０２０２  フラグスイッチ
０２０３  記憶部
０２０４  取得部
０２０５  比較部
０２０６  初期化部
【図１】
2010198063.tif 000003
【図２】
2010198063.tif 000004
【図３】
2010198063.tif 000005
【図４】
2010198063.tif 000006